【事件の表示】
　平成　９年特許願第　７２９３２号「フレキシブルディスク装置」拒絶査定に対する審判事件［平成１０年１０月　９日出願公開、特開平１０−２６９７２７］について、次のとおり審決する。
【結　論】
　本件審判の請求は、成り立たない。
【理　由】
１．手続の経緯・本願発明
　本願は、平成９年３月２６日の出願であって、その請求項１に係る発明は、明細書の特許請求の範囲の請求項１に記載された事項により特定される次のとおりのものと認める。（以下、「本願発明」という）
　
「【請求項１】　ＦＤを回転させるスピンドルモータと、
　上記ＦＤの媒体面と摺動してトラック毎に情報を読み書きするヘッドと、
　上記ヘッドを上記ＦＤの半径方向にトラック単位のステップ駆動させるステッピングモータと、
　上記ステッピングモータにステップ駆動のためのステップ駆動パルスを出力するパルス出力回路と、
　上記ヘッドの位置がトラック０近傍又はトラック０より外周側にあるか否かを判別してトラック０判別信号を出力するトラック０センサーと、
　上記ＦＤが挿入された場合にＦＤ挿入信号を出力するＦＤ挿入検知回路と、
　上記ＦＤ挿入信号を入力した場合、トラック０判別信号により上記ヘッドがトラック０近傍又はトラック０より外周側にあると判断すると、上記パルス出力回路に所定トラック数分の駆動パルスを出力させて上記ヘッドを所定トラック数分上記ＦＤの内周側へ移動させるヘッド位置修正回路とを備えたことを特徴とするフレキシブルディスク装置。」
　
２．引用例
　これに対して、原査定の拒絶の理由に引用された、本願の出願日前である平成３年１１月２５日に頒布された「特開平３−２６３６６１号公報」（以下、「引用例」という）には、次の事項が記載されている。
　
(a)「フロッピーディスク装置本体に収納され、電源投入時にリキャルのステップ信号が入力されると、装置内部のトラックφセンサーでセンサーフラグを検出している場合、内周へ強制的にシークしてから外周へシークしてトラックφを検出することによってトラックφを検出することを特徴とするフロッピーディスク装置。」（第１頁左下欄第５行〜第１１行）
(b)「本発明は、コンピュータの付属装置に関し、特にあらかじめ基準位置を検出してから動作を行う必要のあるフロッピーディスク装置に関する。」（第１頁左下欄第１４行〜第１６行）
(c)「第３図は、従来のフロッピーディスク装置のステッピングモータ駆動回路を示すものである。第３図において１ａは、外部からのステップ入力信号、１ｂは同じくディレクション入力信号、２は外部入力信号を受けて、ステッピングモータを制御する為のコントロール回路、２ａ、２ｂはそれぞれ２進数の制御信号を出力する信号線である。３は、ステッピングモータを駆動するためのドライバー回路でデコーダ機能を有しており、前段の２ａ、２ｂの信号を受けて、４の２相ステッピングモータを駆動する。５ａはステッピングモータによって動くヘッドキャリッジであり、５ｂはトラックφセンサー６においてトラックφを検出するためのフラグである。次に、従来例の動作について第２図のタイミングチャートを用いて説明する。
(1)電源投入時ヘッドキャリッジ５ａの位置は不定であり、ホスト側はトラックφセンサー６が、トラックφを検出するまでステップ信号１ａ、ディレクション信号１ｂを入力する。その時の信号線２ａのＳＤ１、信号線２ｂのＳＤ２は、第４図のタイミングチャートのような２進数の組合せとなる。このタイミングに対し、今、２相ステッピングモータの励磁相をφＡ、φＢ、φＣ、φＤとすれば、外周方向（トラックφ方向）へシークする場合は、φＤ→φＣ→φＢ→φＡ→φＤ→…とくり返される。あるいは内周方向へシークする場合は、ディレクション信号１ｂが切替わり、励磁相はφＡ→φＢ→φＣ→φＤ→φＡ→…というタイミングでくり返されることになる。前者の外周方向へのシークで、３ａは、トラックφセンサー６の出力であり、実際は、トラックφではなく、トラック１からすでにフラグ５ｂが、センサー内に入り、ＺＰ出力３ａはトラックφであることを出力する。しかし、トラックφの励磁相はφＡなので、このＺＰの出力と励磁相φＡによって、トラックφ信号３ｂがホスト側へ出力され、位置決めの基準位置が決定される。」（第１頁左下欄第１８行〜第２頁左上欄第１４行）
(d)「しかしながら、上記従来のトラックφ検出方式では、何らかの振動、衝撃によって、ヘッドキャリッジが正規のトラックφの位置よりも外周側へあって、電源が投入された場合、正規のトラックφから外周方向へ移動したφＡを励磁する位置（−ＴＲＫ２）をトラックφと検出してしまうという問題が発生していた。本発明はこのような従来の問題を解決するものであり、電源投入時、ホスト側の信号によって、常に正しいトラックφを検出出来る優れたフロッピーディスク装置を提供することを目的とするものである。
　課題を解決するための手段
　本発明は、上記目的を達成する為に、トラックφ検出時に、ホスト側からの外周方向ディレクションへの信号を無視し、ステップ信号が入力されると、トラックφセンサーの状態が、トラック１よりも外周にあるという出力を得た時、トラックφでない位置まで強制的に内周側へシークし、一定時間（セトリング時間）おいてから外周方向へシークし、正規のトラックを検出するようにしたものである。
　作用
　したがって、本発明によれば、トラックφの位置より外周側へヘッドキャリッジがあった時に、外周方向へのステップ信号によってトラックφを検出しようとしても強制的に内周側へシークしてトラックセンサー出力がオフになったところから、外周方向へのシークをするため、電源投入時のトラック検出が確実に行えるという効果を有する。」（第２頁右上欄第１行〜同頁左下欄第１０行）
(e)「第１図において、７はホストコンピュータであり、トラックφ信号７ｈを入力し、ステップ信号７ａ、ディレクション信号７ｂ、その他の制御信号７ｃ〜７ｇを出力するものである。８はシークカウント休止回路であり、ホストコンピュータ７の制御信号であり、トラックφの位置より外周側にヘッドキャリッジ５ａがあると、外周方向へのステップ信号によってトラックφを検出しようとしても、強制的に内周側へシークしてトラックφセンサー６の出力がオフになったところから外周方向へのシークをするものである。２はコントロール回路であり、ステップ信号７ａとディレクション信号７ｂから、ＳＤ１信号２ａとＳＤ信号２ｂとを出力するものである。３はドライバー回路であり、モータコイル４ａに励磁相を出力するものである。４は２相ステッピングモータであり、回転力によりキャリッジ（５ａ）、フラグ（５ｂ）を水平方向に移動させるものである。」（第２頁左下欄第１５行〜同頁右下欄第１２行）
(f)「第１図、第２図において、電源投入時、リセット信号７ｄによりＲＳフリップフロップ回路１２、１３がリセットされる。ここでトラックφセンサ５ａの出力が「Ｈ」のときはヘッドキャリッジがセンサー近辺にあることを示している。このとき、オートリキャル信号のＣが完了するまで（第２図イ期間）はＮＯＲ回路１０を介してＤフリップフロップ９を強制的にセットしているので、ディレクション信号７ｂおよびステップ信号７ａがＤフリップフロップ９に入力されても内周方向へ固定してシークすることしかできない。
　その後、ＴＺＰ信号７ｅが「Ｌ」およびＣ相信号７ｆが出力される（第２図ロ期間）とＲＳフリップフロップ１２はリセットでき、ヘッドキャリッジ５ａを内周側に固定する。
　さらにセトリング時間（第２図ハ期間）としてタイマー信号７ｇによって一定時間ヘッドキャリッジは動作させず、その後ステップ信号７ａおよびディレクション信号７ｂに従い、通常のシーク動作を行う。」（第３頁左上欄第１６行〜同頁右上欄第１５行）
　
　これらの記載事項及び図面の記載を参照すると、引用例には、
「ヘッドキャリッジ５ａと、該ヘッドキャリッジ５ａ上に設けられトラックφセンサー６においてトラックφを検出するためのフラグ５ｂと、上記ヘッドキャリッジ５ａ及びフラグ５ｂを内周方向及び外周方向へシークさせる２相ステッピングモータ４と、
　該２相ステッピングモータ４のモータコイル４ａに励磁相を出力するドライバー回路３と、
　上記ヘッドキャリッジ５ａが外周方向（トラックφ方向）へシークしたとき、トラックφではなく、トラック１からすでにトラックφであることを出力するトラックφセンサー６と、
　電源投入時に、該トラックφセンサー６の状態が、ヘッドキャリッジ５ａがトラック１よりも外周にあるという出力を得た時、トラックφでない位置まで強制的に内周側へシークし、一定時間おいてから外周方向へシークして、正規のトラックφを検出するよう制御するホストコンピュータ７及びシークカウント休止回路８とを備えたフレキシブルディスク装置。」
の発明（以下、「引用例記載の発明」という。）が記載されていると認められる。
　
３．対比
　引用例記載の発明の「内周方向及び外周方向」が本願発明の「ＦＤの半径方向」に相当する。
　引用例では、「ヘッドキャリッジ５ａをシーク」「ヘッドキャリッジ５ａの位置」のように記載され、「ヘッドをシーク」「ヘッドの位置」との記載とはなっていないが、ヘッドキャリッジ５ａにヘッドが設けられていることは自明であるから、「ヘッドキャリッジ５ａをシークすること」が即ち「ヘッドをシークすること」に相当する。また、引用例において、「ヘッドキャリッジ５ａをトラックφの位置とすること」が本願において「ヘッドをトラック０の位置とすること」に対応していることは明らかであるから、引用例における「ヘッドキャリッジ５ａの位置」が本願における「ヘッドの位置」に相当する。
　引用例記載の発明の「２相ステッピングモータ４」が本願発明の「ステッピングモータ」に相当する。
　引用例記載の発明のドライバー回路３は、２相ステッピングモータ４のモータコイル４ａに励磁相を出力しており、該励磁相が本願発明の「ステップ駆動のためのステップ駆動パルス」に相当するものと認められるから、引用例記載の発明の「２相ステッピングモータ４のモータコイル４ａに励磁相を出力するドライバー回路３」が本願発明の「ステッピングモータにステップ駆動のためのステップ駆動パルスを出力するパルス出力回路」に相当する。
　引用例における「トラック１」は、「トラック０近傍」ということもできるから、引用例記載の発明の「ヘッドキャリッジ５ａが外周方向（トラックφ方向）へシークしたとき、トラックφではなく、トラック１からすでにトラックφであることを出力するトラックφセンサー６」が本願発明の「ヘッドの位置がトラック０近傍又はトラック０より外周側にあるか否かを判別してトラック０判別信号を出力するトラック０センサー」に相当する。
　引用例記載の発明は、トラック１よりも外周からトラックφでない位置まで内周側へシークするものであるから、このシーク量が本願発明の「所定トラック数」に相当する。また、上記したように、引用例記載の発明も、２相ステッピングモータ４のモータコイル４ａに励磁相（ステップ駆動パルス）を出力してヘッドキャリッジ５ａを移動させているものであるから、引用例記載の発明の「トラックφセンサー６の状態が、ヘッドキャリッジ５ａがトラック１よりも外周にあるという出力を得た時、トラックφでない位置まで強制的に内周側へシークし」が本願発明の「トラック０判別信号により上記ヘッドがトラック０近傍又はトラック０より外周側にあると判断すると、上記パルス出力回路に所定トラック数分の駆動パルスを出力させて上記ヘッドを所定トラック数分上記ＦＤの内周側へ移動させる」に相当する。また、この動作の主体となる引用例記載の発明の「ホストコンピュータ７及びシークカウント休止回路８」が本願発明の「ヘッド位置修正回路」に相当する。
　引用例記載のフロッピーディスクが本願発明のフレキシブルディスクに相当するから、引用例記載の発明の「フロッピーディスク装置」が本願発明の「フレキシブルディスク装置」に相当する。
　
　したがって、本願発明と引用例記載の発明とを対比すると、両者は、
「ヘッドをＦＤの半径方向にステップ駆動させるステッピングモータと、
　上記ステッピングモータにステップ駆動のためのステップ駆動パルスを出力するパルス出力回路と、
　上記ヘッドの位置がトラック０近傍又はトラック０より外周側にあるか否かを判別してトラック０判別信号を出力するトラック０センサーと、
　トラック０判別信号により上記ヘッドがトラック０近傍又はトラック０より外周側にあると判断すると、上記パルス出力回路に所定トラック数分の駆動パルスを出力させて上記ヘッドを所定トラック数分上記ＦＤの内周側へ移動させるヘッド位置修正回路とを備えたことを特徴とするフレキシブルディスク装置。」
  の点で一致し、以下の点で相違する。
　
相違点
(1)本願発明では、「ＦＤを回転させるスピンドルモータ」、「ＦＤの媒体面と摺動してトラック毎に情報を読み書きするヘッド」の構成を有しているのに対し、引用例にはこれに対応する明示的な記載が無い点
(2)本願発明では、ステッピングモータによって「トラック単位のステップ駆動」を行っているのに対し、引用例には「トラック単位」に対応する記載が無い点
(3)ヘッドがトラック０より外周にあると判断された場合にヘッドを内周側へ移動させる動作を、本願発明では、「ＦＤ（ディスク）が挿入された時」に行わせているのに対し、引用例記載の発明では、「電源投入時」に行わせている点
　
４．当審の判断
　上記相違点について検討する。
　
相違点(1)について
　フロッピーディスク装置において、「フロッピーディスクを回転させるスピンドルモータ」、「フロッピーディスクの媒体面と摺動してトラック毎に情報を読み書きするヘッド」を設けることは極めて当然のことであって、引用例では単に記載が省略されているに過ぎず、実質的な相違があるものとは認められない。
　
相違点(2)について
　フロッピーディスク装置において、ステッピングモータによるヘッドの駆動（移動）を「トラック単位」とすることは、例えば実願昭６１−３７５８０号（実開昭６２−１５２６９８号）のマイクロフィルム、特開平１−１４８０９７号公報等に記載されているよう極めて周知のことと認められる。
　
相違点(3)について
　本願発明も引用例記載の発明も、フロッピーディスクへのアクセス動作に先立って予めディスクの基準位置（トラックφ）を検出するための技術である点で一致している。そして、ディスク基準位置の検出動作を、「電源投入時」と「ディスク挿入時」の両方で行わせることは、例えば特開平１−９６８８０号公報（特に第２頁右下欄第１８行〜第３頁左上欄第７行の記載参照）、特開平７−１０５６４２号公報（特に【請求項１】の記載参照）、特開平５−２０８０７号公報（特に【０００９】段落の記載参照）等に記載されているよう周知慣用の技術手段であるものと認められることから、引用例記載の発明において電源投入時に行われているディスク基準位置検出動作をディスク挿入時にも行わせるよう構成することに格別の技術的困難性があるものとは認められない。
　
５．むすび
　したがって、本願発明は、引用例記載の発明に周知の技術手段を適用することにより当業者が容易に発明をすることができたものであるので、特許法第２９条第２項の規定により特許を受けることができない。
　よって、結論のとおり審決する。